(57)【要約】【課題】ユーザにとって、画像形成を要求してから画像形成終了までの待ち時間を少なくすることができ、効率的に画像形成することができる画像形成装置を提供することである。【解決手段】モノクロ画像形成の要求を受け付け、モノクロ画像の形成を行う（Ｓ１２）。そして、画像形成の動作が終了すると、行った画像形成の動作は、モノクロ画像の形成であったか否かを判断する（Ｓ１３）。この場合、モノクロ画像の形成であったことから（Ｓ１３において、ＹＥＳ）、複数の感光体の位相合わせを行う（Ｓ１４）。そして、第二の画像形成の要求を受け付ける（Ｓ１５）。第二の画像形成の要求が、カラー画像形成の要求である場合（Ｓ１６において、ＹＥＳ）、転写ベルトを第一の位置から第二の位置に移動させる（Ｓ１７）。そして、Ｓ１４において位相合わせを行ったことから、複数の感光体の位相が揃った状態で、要求におけるカラー画像の形成を行う（Ｓ１８）。【選択図】図４
2011043642.tif 000002
【特許請求の範囲】
【請求項１】
第一の感光体を含み、前記第一の感光体を回転させてモノクロ画像を形成するモノクロ画像形成手段と、
前記第一の感光体と異なる第二の感光体を含み、前記第一および第二の感光体を回転させてカラー画像を形成するカラー画像形成手段と、
前記第一および第二の感光体の偏心による位相のずれを合わせる位相合わせ手段と、
前記モノクロ画像形成手段が作動したか否かを判断する判断手段と、
前記判断手段によりモノクロ画像形成手段が作動したと判断した場合に、モノクロ画像の形成終了後、前記位相合わせ手段を作動するよう制御する制御手段とを備える、画像形成装置。
【請求項２】
前記第一の感光体に当接すると共に、前記第二の感光体から離間した状態の第一の位置と、前記第一および第二の感光体に当接した状態の第二の位置とを有する転写体を備える、請求項１に記載の画像形成装置。
【請求項３】
前記転写体は、前記第一の位置および前記第二の位置のうち、いずれかを基準位置とする、請求項２に記載の画像形成装置。
【請求項４】
前記カラー画像形成手段は、イエロー、マゼンタ、およびシアンを含むフルカラー画像を形成する、請求項１〜３のいずれかに記載の画像形成装置。
【発明の詳細な説明】
【技術分野】
【０００１】
この発明は、画像形成装置に関するものであって、特に複数の感光体を備える画像形成装置に関するものである。
【背景技術】
【０００２】
従来から、複数の感光体を備えるタンデム方式を採用した画像形成装置が知られている。このような画像形成装置を利用して、カラー画像を形成する際には、複数の感光体のそれぞれにおいて、イエロー、マゼンタ、シアン、ブラックのトナー像を形成することにより、複数の感光体を使用して行う。また、モノクロ画像を形成する際には、一つの感光体において、ブラックのトナー像を形成することにより、一つの感光体を使用して行う。
【０００３】
このように、形成する画像に合わせて、使用する感光体を切り替える画像形成装置は、例えば、特開２００６−７９００２号公報（特許文献１）に開示されている。
【０００４】
ここで、タンデム方式を採用した画像形成装置は、画像形成装置を製造する際の組立や加工時の誤差によって、複数の感光体が、異なる位相で偏心しながら回転する場合がある。このような複数の感光体の偏心による位相のずれは、色ずれを生じさせる原因となり、画像形成装置にとって、適切なフルカラー画像を形成することが困難となってしまう。
【０００５】
そこで、このような色ずれを低減するために、位相合わせを行う画像形成装置が、例えば、特公平７−３１４４７号公報（特許文献２）に開示されている。
【先行技術文献】
【特許文献】
【０００６】
【特許文献１】特開２００６−７９００２号公報
【特許文献２】特公平７−３１４４７号公報
【発明の概要】
【発明が解決しようとする課題】
【０００７】
特許文献２によると、画像形成装置は、複数の感光体の位相の状態を検出し、検出結果に基づいて、複数の感光体を回転させながら、位相合わせを行うこととしている。この場合、例えば、ユーザからの画像形成の要求を受け付けてから、位相合わせを行うと、ユーザにとって、画像形成を要求してから画像形成終了までの待ち時間が、位相合わせに要する時間の分、長くなってしまう。
【０００８】
この発明の目的は、ユーザにとって、画像形成を要求してから画像形成終了までの待ち時間を少なくすることができ、効率的に画像形成することができる画像形成装置を提供することである。
【課題を解決するための手段】
【０００９】
この発明に係る画像形成装置は、第一の感光体を含み、第一の感光体を回転させてモノクロ画像を形成するモノクロ画像形成手段と、第一の感光体と異なる第二の感光体を含み、第一および第二の感光体を回転させてカラー画像を形成するカラー画像形成手段と、第一および第二の感光体の偏心による位相のずれを合わせる位相合わせ手段と、モノクロ画像形成手段が作動したか否かを判断する判断手段と、判断手段によりモノクロ画像形成手段が作動したと判断した場合に、モノクロ画像の形成終了後、位相合わせ手段を作動するよう制御する制御手段とを備える。
【００１０】
好ましくは、第一の感光体に当接すると共に、第二の感光体から離間した状態の第一の位置と、第一および第二の感光体に当接した状態の第二の位置とを有する転写体を備える。
【００１１】
さらに好ましくは、転写体は、第一の位置および第二の位置のうち、いずれかを基準位置とする。
【００１２】
さらに好ましくは、カラー画像形成手段は、イエロー、マゼンタ、およびシアンを含むフルカラー画像を形成する。
【発明の効果】
【００１３】
この発明に係る画像形成装置は、モノクロ画像の形成終了後に、第一および第二の感光体の偏心による位相のずれを合わせる動作を行う。そうすると、次の画像形成を行う際には、改めて位相合わせを行う必要がない。その結果、ユーザにとって、画像形成を要求してから画像形成終了までの待ち時間を少なくすることができ、効率的に画像形成することができる。
【図面の簡単な説明】
【００１４】
【図１】この発明の一実施形態に係る画像形成装置をデジタル複合機に適用した場合のデジタル複合機の構成を示すブロック図である。
【図２】デジタル複合機の全体概略図である。
【図３】転写ベルトが、第一の感光体と当接すると共に第二の感光体と離間した状態を示した図である。
【図４】位相合わせを行う場合のデジタル複合機の動作について示すフローチャートである。
【図５】位相合わせを行う場合のデジタル複合機の動作について示すフローチャートである。
【図６】位相合わせを行う場合のデジタル複合機の動作について示すフローチャートである。
【発明を実施するための形態】
【００１５】
以下、この発明の実施の形態を図面を参照して説明する。図１は、この発明の一実施形態に係る画像形成装置をデジタル複合機１０に適用した場合のデジタル複合機１０の構成を示すブロック図である。図１を参照して、デジタル複合機１０は、デジタル複合機１０全体を制御する制御部１１と、画像データ等の書込みや読出しを行うためのＤＲＡＭ１２と、デジタル複合機１０におけるユーザとのインターフェースとなる操作部１３と、原稿を自動的に所定の原稿読取り位置へ搬送する原稿送り装置１４と、原稿送り装置１４によって搬送されてきた原稿の画像を所定の読取り位置においてスキャナで読取る画像読取り部１５と、画像読取り部１５で読取られた原稿等からその画像を形成する画像形成部１６と、画像データ等を格納するハードディスク１７と、公衆回線２０に接続されるＦＡＸ通信部１８と、ネットワーク２１と接続するためのネットワークＩＦ（インターフェース）部１９とを備える。
【００１６】
デジタル複合機１０は、画像読取り部１５により読取られた原稿を用いて、ＤＲＡＭ１２を介して画像形成部１６において画像を形成することにより、複写機として作動する。また、デジタル複合機１０は、ネットワークＩＦ部１９を通じて、ネットワーク２１に接続されたパソコン２２から送信された画像データを用いて、ＤＲＡＭ１２を介して画像形成部１６において画像を形成することにより、プリンターとして作動する。さらに、デジタル複合機１０は、ＦＡＸ通信部１８を通じて、公衆回線２０から送信された画像データを用いて、ＤＲＡＭ１２を介して画像形成部１６において画像を形成することにより、また、画像読取り部１５により読取られた原稿の画像データを、ＦＡＸ通信部１８を通じて公衆回線２０に画像データを送信することにより、ファクシミリ装置として作動する。すなわち、デジタル複合機１０は、画像処理に関し、複写（コピー）機能、プリンター機能、ＦＡＸ機能等、複数の機能を有する。さらに、各機能に対しても、詳細に設定可能な機能を有する。
【００１７】
なお、図１において、太線の矢印は画像データの流れを示しており、細線の矢印は制御信号または制御データの流れを示している。
【００１８】
図２は、デジタル複合機１０の全体概略図である。図２中の矢印は、用紙の搬送方向を示している。図２を参照して、画像形成部１６について説明する。画像形成部１６は、ブラックのトナー像を形成される感光体３０ｄと、イエローのトナー像を形成される感光体３０ａと、マゼンタのトナー像を形成される感光体３０ｂと、シアンのトナー像を形成される感光体３０ｃとを備える。ブラックのトナー像を形成される感光体３０ｄは、第一の感光体２８である。また、イエローのトナー像を形成される感光体３０ａ、マゼンタのトナー像を形成される感光体３０ｂ、およびシアンのトナー像を形成される感光体３０ｃは、第二の感光体２９である。
【００１９】
また、画像形成部１６は、第一および第二の感光体２８，２９上に形成された各色のトナー像を転写される転写体としての転写ベルト３４を備える。なお、図２中の点線の矢印で、転写ベルト３４の回転方向を示している。
【００２０】
転写ベルト３４は、第一の感光体２８とは、常時当接した状態であって、第二の感光体２９とは、当接および離間可能な状態である。具体的には、形成する画像に応じて、第一の感光体２８と当接すると共に第二の感光体２９と離間したり、第一および第二の感光体２８，２９と当接したりする。図３は、転写ベルト３４が、第一の感光体２８と当接すると共に第二の感光体２９と離間した状態を示した図である。なお、図２は、第一および第二の感光体２８，２９と当接した状態を示している。図２および図３を参照して、転写ベルト３４は、図２中の矢印ＩＩＩの方向に移動することによって、図３に示すような状態となる。また、図３中の矢印ＩＩの方向に移動することによって、図２に示すような状態となる。ここで、図３に示すような第一の感光体２８と当接すると共に第二の感光体２９と離間した状態の転写ベルト３４の位置を第一の位置とする。また、図２に示すような第一および第二の感光体２８，２９と当接した状態の転写ベルト３４の位置を第二の位置とする。すなわち、転写ベルト３４は、第一の位置と第二の位置とを有する構成である。
【００２１】
図３に示すように、第一の感光体２８を転写ベルト３４の表面と当接させると共に第二の感光体２９を転写ベルト３４の表面から離間させる場合、画像形成部１６は、第一の感光体２８にブラックのトナー像を形成しておくことによって、モノクロ画像を形成する。すなわち、モノクロ画像を形成する際には、第一の感光体２８を転写ベルト３４の表面と当接させると共に第二の感光体２９を転写ベルト３４の表面から離間させる。一方、図２に示すように、第一の感光体２８および第二の感光体２９を転写ベルト３４の表面と当接させる場合、画像形成部１６は、第一の感光体２８および第二の感光体２９にブラック、イエロー、マゼンタ、シアンのトナー像を形成しておくことによって、カラー画像を形成する。すなわち、カラー画像を形成する際には、第一の感光体２８および第二の感光体２９を転写ベルト３４の表面と当接させる。
【００２２】
また、転写ベルト３４には、基準位置（ホームポジション）が予め定められている。基準位置は、第一の位置および第二の位置のうちのいずれかである。これにより、ユーザのデジタル複合機１０の使用状況に応じたものとすることが可能となる。例えば、モノクロ画像を頻繁に形成するユーザに使用されているデジタル複合機１０においては、第一の位置を基準位置とする。そして、形成する画像に合わせて、基準位置（第一の位置）から第二の位置に移動したり、そのまま基準位置（第一の位置）を維持したりする。また、画像形成を終了して、所定の時間を経過すると、次の画像形成の要求を受け付けるまで、基準位置（第一の位置）で待機する。例えば、カラー画像の形成を終了して、所定の時間が経過すると、第二の位置から基準位置（第一の位置）に移動し、次の画像形成の要求を受け付けるまで、基準位置（第一の位置）で待機する。
【００２３】
ここで、デジタル複合機１０のように、複数の感光体３０ａ〜３０ｄを備える構成であると、複数の感光体３０ａ〜３０ｄは、それぞれ異なる位相で偏心しながら回転する場合がある。このような複数の感光体３０ａ〜３０ｄの偏心による位相のずれは、色ずれを生じさせる原因となり、デジタル複合機１０にとって適切なカラー画像を形成することが困難となってしまう。したがって、適宜複数の感光体３０ａ〜３０ｄの位相合わせを行う必要がある。位相合わせは、例えば、複数の感光体３０ａ〜３０ｄを回転させながら、それぞれの最大偏心位置を一致させることにより行う。
【００２４】
しかし、位相合わせを行う場合、ユーザからの画像形成の要求を受け付けてから行うと、ユーザにとって、画像形成を要求してから画像形成終了までの待ち時間が、位相合わせに要する時間の分、長くなってしまう。したがって、なるべくユーザにとっての待ち時間を少なくして、位相合わせを行うことが望ましい。
【００２５】
ここで、位相合わせを行うタイミングについて説明する。表１〜表４は、位相合わせを行うタイミングについて示している。表において、＊（アスタリスク）の付与された項目が、位相合わせを行うタイミングである。具体的には、表１および表３は、転写ベルト３４の基準位置が第一の位置の場合について示している。表２および表４は、転写ベルト３４の基準位置が第二の位置の場合について示している。また、図４〜図６は、位相合わせを行う場合のデジタル複合機１０の動作について示すフローチャートである。表１〜表４および図４〜図６を参照して、位相合わせを行うタイミングについて詳細に説明する。
【００２６】
【表１】
2011043642.tif 000003
【００２７】
【表２】
2011043642.tif 000004
【００２８】
【表３】
2011043642.tif 000005
【００２９】
【表４】
2011043642.tif 000006
【００３０】
まず、図４を参照して、位相合わせを行うタイミングについて説明する。この処理では、転写ベルト３４の基準位置は、第一の位置であってもよいし、第二の位置であってもよい。
【００３１】
画像形成部１６は、第一の画像形成の要求を受け付ける（図４において、ステップＳ１１、以下、ステップを省略する）。第一の画像形成の要求は、モノクロ画像形成の要求であり、モノクロ画像の形成を行う（Ｓ１２）。ここで、画像形成部１６は、モノクロ画像形成手段として作動する。
【００３２】
そして、画像形成部１６は、画像形成の動作が終了すると、モノクロ画像形成手段が作動したか否かを判断する。すなわち、Ｓ１１の要求において行った画像形成の動作は、モノクロ画像の形成であったか否かを判断する（Ｓ１３）。ここで、制御部１１は、判断手段として作動する。
【００３３】
この場合、モノクロ画像の形成であったことから（Ｓ１３において、ＹＥＳ）、モノクロ画像形成手段が作動したと判断し、画像形成部１６は、複数の感光体３０ａ〜３０ｄの位相合わせを行う（Ｓ１４）。ここで、画像形成部１６は、位相合わせ手段、および制御手段として作動する。
【００３４】
そして、画像形成部１６は、第二の画像形成の要求を受け付ける（Ｓ１５）。第二の画像形成の要求が、カラー画像形成の要求である場合（Ｓ１６において、ＹＥＳ）、画像形成部１６は、Ｓ１２においてモノクロ画像の形成を行ったことから、転写ベルト３４を第一の位置から第二の位置に移動させる（Ｓ１７）。そして、Ｓ１４において位相合わせを行ったことから、複数の感光体３０ａ〜３０ｄの位相が揃った状態で、要求におけるカラー画像の形成を行う（Ｓ１８）。ここで、画像形成部１６は、カラー画像形成手段として作動する。
【００３５】
ここで、図４の処理は、表１のパターン２および表２のパターン６に相当する。すなわち、Ｓ１１における第一の画像形成の要求は、表１，２「第一の画像形成」の列に該当し、Ｓ１２においてモノクロ画像の形成を行ったことから、「モノクロ」の項目に該当する。そして、Ｓ１５における第二の画像形成の要求は、表１，２「第二の画像形成」の列に該当し、Ｓ１６においてカラー画像形成の要求であったため、「種類：カラー」の項目に該当する。また、Ｓ１７において転写ベルト３４の移動を行ったため、「転写ベルトの移動：第二の位置」の項目に該当する。そして、処理中、すなわち、Ｓ１４のモノクロ画像形成後に位相合わせを行ったことから、「位相合わせの有無」の列において、「○」となる。
【００３６】
なお、Ｓ１５において、第二の画像形成の要求が、モノクロ画像形成の要求である場合には（Ｓ１６において、ＮＯ）、転写ベルト３４を移動させることなく、そのまま、要求におけるモノクロ画像の形成を行う。なお、この流れは、表１のパターン１および表２のパターン５に相当する。すなわち、Ｓ１５においてモノクロ画像形成の要求であると、「種類：モノクロ」の項目に該当する。また、転写ベルト３４の移動は無いため、「転写ベルトの移動：無し」の項目に該当する。そして、処理中、すなわち、Ｓ１４のモノクロ画像形成後に位相合わせを行ったことから、「位相合わせの有無」の列において、「○」となる。
【００３７】
表１パターン３，４および表２パターン７，８においても同様に、表に示すように処理を行う。パターン３，４およびパターン７，８においては、第一の画像形成がカラー画像の形成である。この場合、第一の画像形成の段階で位相が揃った状態である。したがって、第一の画像形成終了後に、改めて位相合わせを行う必要はない。その結果、「位相合わせの有無」の列において「×」となる。
【００３８】
次に、図５を参照して、位相合わせを行う他のタイミングについて説明する。この処理では、転写ベルト３４の基準位置は、第一の位置である。
【００３９】
画像形成部１６は、第一の画像形成の要求を受け付ける（Ｓ２１）。第一の画像形成の要求は、モノクロ画像形成の要求であり、モノクロ画像の形成を行う（Ｓ２２）。
【００４０】
そして、画像形成部１６は、画像形成の動作が終了すると、モノクロ画像形成手段が作動したか否かを判断する。すなわち、Ｓ２１の要求において行った画像形成の動作は、モノクロ画像の形成であったか否かを判断する（Ｓ２３）。
【００４１】
この場合、モノクロ画像の形成であったことから（Ｓ２３において、ＹＥＳ）、モノクロ画像形成手段が作動したと判断し、画像形成部１６は、複数の感光体３０ａ〜３０ｄの位相合わせを行う（Ｓ２４）。
【００４２】
そして、画像形成部１６は、新たな画像形成の要求を受け付けることなく待機し、所定の時間を経過する（Ｓ２５）。そうすると、画像形成部１６は、転写ベルト３４を基準位置に移動させる。本処理では、基準位置は第一の位置であって、Ｓ２２においてモノクロ画像の形成を行ったことから、そのまま第一の位置を維持する（Ｓ２６）。
【００４３】
そして、画像形成部１６は、第二の画像形成の要求を受け付ける（Ｓ２７）。第二の画像形成の要求が、カラー画像形成の要求である場合（Ｓ２８において、ＹＥＳ）、画像形成部１６は、Ｓ２６において基準位置の第一の位置を維持したことから、転写ベルト３４を第一の位置から第二の位置に移動させる（Ｓ２９）。そして、Ｓ２４において位相合わせを行ったことから、複数の感光体３０ａ〜３０ｄの位相が揃った状態で、要求におけるカラー画像の形成を行う（Ｓ３０）。
【００４４】
ここで、図５の処理は、表３のパターン１０に相当する。すなわち、Ｓ２１における第一の画像形成の要求は、表３「第一の画像形成」の列に該当し、Ｓ２２においてモノクロ画像の形成を行ったことから、「モノクロ」の項目に該当する。そして、Ｓ２５において所定の時間経過した後、Ｓ２６において転写ベルト３４を移動しなかったことから、「転写ベルトの移動：無し」の項目に該当する。そして、Ｓ２７における第二の画像形成の要求は、表３「第二の画像形成」の列に該当し、Ｓ２８においてカラー画像形成の要求であったため、「種類：カラー」の項目に該当する。また、Ｓ２９において転写ベルト３４の移動を行ったため、「転写ベルトの移動：第二の位置」の項目に該当する。そして、処理中、すなわち、Ｓ２４のモノクロ画像形成後に位相合わせを行ったことから、「位相合わせの有無」の列において、「○」となる。
【００４５】
なお、Ｓ２８において、第二の画像形成の要求が、モノクロ画像形成の要求である場合には（Ｓ２８において、ＮＯ）、転写ベルト３４を移動させることなく、そのまま、要求におけるモノクロ画像の形成を行う。なお、この流れは、表３のパターン９に相当する。すなわち、Ｓ２８においてモノクロ画像形成の要求であると、「種類：モノクロ」の項目に該当する。また、転写ベルト３４の移動は無いため、「転写ベルトの移動：無し」の項目に該当する。そして、処理中、すなわち、Ｓ２４のモノクロ画像形成後に位相合わせを行ったことから、「位相合わせの有無」の列において、「○」となる。
【００４６】
パターン１１およびパターン１２においても同様に、表に示すように処理を行う。パターン１１およびパターン１２においては、第一の画像形成がカラー画像の形成である。この場合、第一の画像形成の段階で位相が揃った状態である。したがって、第一の画像形成終了後に、改めて位相合わせを行う必要はない。その結果、「位相合わせの有無」の列において「×」となる。
【００４７】
次に、図６を参照して、位相合わせを行う他のタイミングについて説明する。この処理では、転写ベルト３４の基準位置は、第二の位置である。
【００４８】
画像形成部１６は、第一の画像形成の要求を受け付ける（Ｓ４１）。第一の画像形成の要求は、モノクロ画像形成の要求であり、モノクロ画像の形成を行う（Ｓ４２）。
【００４９】
そして、画像形成部１６は、画像形成の動作が終了すると、モノクロ画像形成手段が作動したか否かを判断する。すなわち、Ｓ４１の要求において行った画像形成の動作は、モノクロ画像の形成であったか否かを判断する（Ｓ４３）。
【００５０】
この場合、モノクロ画像の形成であったことから（Ｓ４３において、ＹＥＳ）、モノクロ画像形成手段が作動したと判断し、画像形成部１６は、複数の感光体３０ａ〜３０ｄの位相合わせを行う（Ｓ４４）。
【００５１】
そして、画像形成部１６は、新たな画像形成の要求を受け付けることなく待機し、所定の時間を経過する（Ｓ４５）。そうすると、画像形成部１６は、転写ベルト３４を基準位置に移動させる。本処理では、基準位置は第二の位置であって、Ｓ４２においてモノクロ画像の形成を行ったことから、第一の位置から第二の位置に移動させる（Ｓ４６）。
【００５２】
そして、画像形成部１６は、第二の画像形成の要求を受け付ける（Ｓ４７）。第二の画像形成の要求が、カラー画像形成の要求である場合（Ｓ４８において、ＹＥＳ）、画像形成部１６は、Ｓ４６において基準位置の第二の位置に移動したことから、転写ベルト３４の第二の位置を維持する（Ｓ４９）。そして、Ｓ４４において位相合わせを行ったことから、複数の感光体３０ａ〜３０ｄの位相が揃った状態で、要求におけるカラー画像の形成を行う（Ｓ５０）。
【００５３】
ここで、図６の処理は、表４のパターン１４に相当する。すなわち、Ｓ４１における第一の画像形成の要求は、表４「第一の画像形成」の列に該当し、Ｓ４２においてモノクロ画像の形成を行ったことから、「モノクロ」の項目に該当する。そして、Ｓ４５において所定の時間経過した後、Ｓ４６において転写ベルト３４を移動したことから、「転写ベルトの移動：第二の位置」の項目に該当する。そして、Ｓ４７における第二の画像形成の要求は、表４「第二の画像形成」の列に該当し、Ｓ４８においてカラー画像形成の要求であるため、「種類：カラー」の項目に該当する。また、Ｓ４９において転写ベルト３４を移動しなかったことから、「転写ベルトの移動：無し」の項目に該当する。そして、処理中、すなわち、Ｓ４４のモノクロ画像形成後に位相合わせを行ったことから、「位相合わせの有無」の列において、「○」となる。
【００５４】
なお、Ｓ４８において、第二の画像形成の要求が、モノクロ画像形成の要求である場合には（Ｓ４８において、ＮＯ）、転写ベルト３４を第一の位置に移動させて、要求におけるモノクロ画像の形成を行う。なお、この流れは、表４のパターン１３に相当する。すなわち、Ｓ４８においてモノクロ画像形成の要求であると、「種類：モノクロ」の項目に該当する。また、転写ベルト３４の移動を行ったため、「転写ベルトの移動：第一の位置」の項目に該当する。そして、処理中、すなわち、Ｓ４４のモノクロ画像形成後に位相合わせを行ったことから、「位相合わせの有無」の列において、「○」となる。
【００５５】
パターン１５およびパターン１６においても同様に、表に示すように処理を行う。パターン１５およびパターン１６においては、第一の画像形成がカラー画像の形成である。この場合、第一の画像形成の段階で位相が揃った状態である。したがって、第一の画像形成終了後に、改めて位相合わせを行う必要はない。その結果、「位相合わせの有無」の列において「×」となる。
【００５６】
このようにして、デジタル複合機１０は、モノクロ画像の形成終了後に、第一および第二の感光体２８，２９の偏心による位相のずれを合わせる動作を行う。そうすると、次の画像形成を行う際には、改めて位相合わせを行う必要がない。その結果、ユーザにとって、画像形成を要求してから画像形成終了までの待ち時間を少なくすることができ、効率的に画像形成することができる。
【００５７】
なお、上記の実施の形態においては、カラー画像の形成の際には、ブラック、イエロー、マゼンタ、シアンの４色を使用する例について説明したが、これに限ることなく、ブラックおよびイエロー等の２色であってもよい。
【００５８】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【符号の説明】
【００５９】
１０  デジタル複合機、１１  制御部、１２  ＤＲＡＭ、１３  操作部、１４  原稿送り装置、１５  画像読取り部、１６  画像形成部、１７  ハードディスク、１８  ＦＡＸ通信部、１９  ネットワークＩＦ部、２０  公衆回線、２１  ネットワーク、２２  パソコン、２８  第一の感光体、２９  第二の感光体、３０ａ，３０ｂ，３０ｃ，３０ｄ  感光体、３４  転写ベルト。
【図１】
2011043642.tif 000007
【図２】
2011043642.tif 000008
【図３】
2011043642.tif 000009
【図４】
2011043642.tif 000010
【図５】
2011043642.tif 000011
【図６】
2011043642.tif 000012